(57)【要約】【課題】開封作業が容易な包装箱を提供することを目的とする。【解決手段】少なくとも一方が開口した角筒状に連接された複数の側面部２，３，４，５の一つであって、自身の上端と交わる方向に延び、所定の間隔で並ぶ一組の第１の易開封線７１Ｒ，７１Ｌが形成されている第１の側面部３と、前記上端から延出し、前記一組の第１の易開封線７１Ｒ，７１Ｌをつなぐ第２の易開封線７２Ｒ，７２Ｌ，７３が形成され、前記上端にて折り曲げられて、前記複数の側面部２，３，４，５にて囲まれた上側の開口部の少なくとも一部を塞ぐ蓋フラップ３１とを有する包装箱１０。【選択図】図１
2020100425.tif 000002
【特許請求の範囲】
【請求項１】
少なくとも一つの開口部を有する角筒状に連接された複数の側面部の一つであって、自身の上端と交わる方向に延びると共に所定の間隔で並ぶ一組の第１の易開封線が形成されている第１の側面部と、
前記上端から延出し、前記一組の第１の易開封線をつなぐ第２の易開封線が形成され、前記上端にて折り曲げられて、前記開口部の少なくとも一部を塞ぐ蓋フラップと、
を有する包装箱。
【請求項２】
前記蓋フラップにおいて、
前記第２の易開封線から、前記上端とは反対側にある前記蓋フラップの端辺に向かって延びる第３の易開封線が形成されていることを特徴とする請求項１の包装箱。
【請求項３】
前記第２の易開封線は、
前記第１の易開封線が延びる方向に延びる一組の第４の易開封線と、
前記一組の第４の易開封線の前記上端とは反対側の端部をつなぐ第５の易開封線からなり、
前記第３の易開封線は、
前記一組の第４の易開封線と前記第５の易開封線がつながる箇所のいずれか一方の近傍にある分離開始部から、前記端辺に向かって延びていることを特徴とする請求項２に記載の包装箱。
【請求項４】
前記第３の易開封線は、
前記分離開始部から、前記第１の易開封線が延びる方向と交わる方向であって前記第２の易開封線にて区画された領域から離れる方向に延び、更に前記端辺に向かって延びていることを特徴とする請求項３に記載の包装箱。
【請求項５】
前記一組の第１の易開封線及び前記第２の易開封線にて区画された開封部の前記蓋フラップの部分に、前記包装箱を開封する使用者の指を抜き差し可能にする挿入可能部が設けられていることを特徴とする請求項１から請求項４のいずれか１項に記載の包装箱。
【請求項６】
前記複数の側面部の一部であって前記第１の側面部の両側に隣接する一組の第２の側面部と、
少なくとも前記第１の側面部の下端と連接され、前記開口部とは反対側の底面を形成する底面部と、
一方の前記第２の側面部の側にある一方の前記第１の易開封線から、前記一方の第２の側面部に向かって延びる第６の易開封線と、
他方の前記第２の側面部の側にある他方の前記第１の易開封線から、前記他方の第２の側面部に向かって延びる第７の易開封線と、
を備え、
前記第６の易開封線及び前記第７の易開封線の少なくともいずれか一方は、前記第１の側面部と前記底面部の境目上、あるいは前記底面部の前記境目側に設けられていることを特徴とする請求項１から請求項５のいずれかに記載の包装箱。
【請求項７】
前記底面部は、
前記第１の側面部の下端から延出し、前記下端にて折り曲げられて他方の前記開口部の少なくとも一部を塞ぐ底フラップを少なくとも含む複数の底側フラップから構成されており、
前記第６の易開封線及び前記第７の易開封線の少なくともいずれか一方は、前記第１の側面部と前記底フラップの境目上、あるいは前記底フラップの前記境目側に設けられていることを特徴とする請求項６に記載の包装箱。
【請求項８】
前記複数の側面部は、
前記第１の側面部と、
前記第１の側面部の両側に隣接する一組の第２の側面部と、
前記一組の第２の側面部の間に挟まれ、前記第１の側面部と向かい合う第３の側面部が四角筒状に連接されたものであり、
前記第２の側面部の上端から延出し、前記第２の側面部の上端にて折り曲げられて前記開口部の少なくとも一部を覆う外側蓋フラップと、
前記第２の側面部の下端から延出し、前記第２の側面部の下端にて折り曲げられて他方の前記開口部の少なくとも一部を覆う外側底フラップと、
を備え、
前記第２の側面部、前記外側蓋フラップあるいは前記外側底フラップの少なくともいずれか一つに、前記第１の側面部と前記第２の側面部の境目と略平行に延びる折り曲げ線が形成されていることを特徴とする請求項１から請求項５のいずれかに記載の包装箱。
【発明の詳細な説明】
【技術分野】
【０００１】
本発明は、商品等の包装に用いて好適な包装箱に関する。
【背景技術】
【０００２】
従来、商品等の内容物の取り出し易さを向上させるため、包装箱の前側面に、包装箱の高さ方向に切り取られて、開口部を形成する開口片を設けた包装箱が知られている（例えば特許文献１参照。）。この開口片は、包装箱の高さ方向に延びる一組の易開封線にて区画された前側面の部分である。この包装箱を開封する使用者は、開口片の上側の部分を保持して手前側に引っ張り、開口片を易開封線に沿って引き裂いて内容物の取り出し口となる開口部を形成する。
【先行技術文献】
【特許文献】
【０００３】
【特許文献１】特開２０１１−９３６０１号公報
【発明の概要】
【発明が解決しようとする課題】
【０００４】
上述の特許文献１に記載された技術では、使用者が開口部を形成するために開口片の上側の部分を手前側に引っ張ると、開口片と隣接する前側面の他の部分も手前側に動いてしまうため、開封片を易開封線に沿ってうまく引き裂くことができない。このため使用者は開口片を引き裂く際に、一方の手で開口片の上側の部分を保持し、他方の手で開口片と隣接する前側面の部分を押さえて開封作業を行う必要があった。即ち、一方の手で開口片の上側を保持して手前側に引っ張ると共に、他方の手で開口片の両側に隣接する前側面の部分の一方を保持し、保持した前側面の部分が、開口片につられて手前側に動かない様に押さえる必要があった。しかしながら、前側面の他方の手で押さえていない他方側の部分は、開口片と共に前側に動いてしまうため、やはり開封片を易開封線に沿って引き裂くことが難しく、開封作業が行いにくいという問題があった。
【０００５】
本発明は、上記の課題を解決するためになされたものであって、開封作業が容易な包装箱を提供することを目的とする。
【課題を解決するための手段】
【０００６】
上記目的を達成するために、本発明は、以下の手段を提供する。
本発明の包装箱は、少なくとも一つの開口部を有する角筒状に連接された複数の側面部の一つであって、自身の上端と交わる方向に延びると共に所定の間隔で並ぶ一組の第１の易開封線が形成されている第１の側面部と、前記上端から延出し、前記一組の第１の易開封線をつなぐ第２の易開封線が形成され、前記上端にて折り曲げられて、前記開口部の少なくとも一部を塞ぐ蓋フラップと、を有することを特徴とする。
【０００７】
上記発明においては、前記蓋フラップにおいて、前記第２の易開封線から、前記上端とは反対側にある前記蓋フラップの端辺に向かって延びる第３の易開封線が形成されていることを特徴とすることが好ましい。
【０００８】
上記発明においては、前記第２の易開封線は、前記第１の易開封線が延びる方向に延びる一組の第４の易開封線と、前記一組の第４の易開封線の前記上端とは反対側の端部をつなぐ第５の易開封線からなり、前記第３の易開封線は、前記一組の第４の易開封線と前記第５の易開封線がつながる箇所のいずれか一方の近傍にある分離開始部から、前記端辺に向かって延びていることを特徴とすることが好ましい。
【０００９】
上記発明においては、前記第３の易開封線は、前記分離開始部から、前記第１の易開封線が延びる方向と交わる方向であって第２の易開封線にて区画された領域から離れる方向に延び、更に前記端辺に向かって延びていることを特徴とすることが好ましい。
【００１０】
上記発明においては、前記一組の第１の易開封線及び前記第２の易開封線にて区画された開封部の前記蓋フラップの部分に、前記包装箱を開封する使用者の指を抜き差し可能にする挿入可能部が設けられていることを特徴とすることが好ましい。
【００１１】
上記発明においては、前記複数の側面部の一部であって前記第１の側面部の両側に隣接する一組の第２の側面部と、少なくとも前記第１の側面部の下端と連接され、前記開口部とは反対側の底面を形成する底面部と、一方の前記第２の側面部の側にある一方の前記第１の易開封線から、前記一方の第２の側面部に向かって延びる第６の易開封線と、他方の前記第２の側面部の側にある他方の前記第１の易開封線から、前記他方の第２の側面部に向かって延びる第７の易開封線とを備え、前記第６の易開封線及び前記第７の易開封線の少なくともいずれか一方は、第１の側面部と前記底面部の境目上、あるいは前記底面部の前記境目側に設けられていることを特徴とすることを特徴とすることが好ましい。
上記発明においては、前記底面部は、前記第１の側面部の下端から延出し、前記下端にて折り曲げられて他方の前記開口部の少なくとも一部を塞ぐ底フラップを少なくとも含む複数の底側フラップから構成されており、前記第６の易開封線及び前記第７の易開封線の少なくともいずれか一方は、前記第１の側面部と前記底フラップの境目上、あるいは前記底フラップの前記境目側に設けられていることを特徴とする。
【００１２】
上記発明においては、前記複数の側面部は、前記第１の側面部と、前記第１の側面部の両側に隣接する一組の第２の側面部と、前記一組の第２の側面部の間に挟まれ、前記第１の側面部と向かい合う第３の側面部からなる四角筒状に連接されたものであり、前記第２の側面部の上端延出し、前記前記第２の側面部の上端にて折り曲げられて前記開口部の少なくとも一部を覆う外側蓋フラップと、前記第２の側面部の下端から延出し、前記第２の側面部の下端にて折り曲げられて他方の開口部の少なくとも一部を覆う外側底フラップとを備え、前記第２の側面部、前記外側蓋フラップあるいは前記外側底フラップの少なくともいずれか一つに、前記第１の側面部と前記第２の側面部の境目と略平行に延びる折り曲げ線が形成されていることを特徴とすることが好ましい。
【発明の効果】
【００１３】
本発明の包装箱によれば、開封部を易開封線に沿って容易に切り裂くことができ、内容部を取り出すための開口を、容認に形成できる包装箱を提供できるという効果を奏する。
【図面の簡単な説明】
【００１４】
【図１】本発明の一実施形態に係る包装箱を説明する展開図である。
【図２】図２（ａ）は、本発明の一実施形態に係る包装箱を説明する斜視図である。図２（ｂ）は、本発明の包装箱のシート材の断面図の様子を説明する図である。
【図３】図２の包装箱の開封方法を説明する図である。
【図４】図２の包装箱の開封方法を説明する図である。
【図５】図２の包装箱の開封方法を説明する図である。
【図６】図２の包装箱の開封方法を説明する図である。
【図７】開封された包装箱がつぶされた状態を説明する図である。
【図８】つぶされた包装箱を折り畳む方法を説明する図である。
【図９】つぶされた包装箱を折り畳む方法を説明する図である。
【図１０】つぶされた包装箱を折り畳む方法を説明する図である。
【図１１】図１１（ａ）は、開封部を区画する破断線を説明する開封部の拡大図である。図１１（ｂ）は、破断線を説明する拡大図（概略図）である。
【図１２】図１２（ａ）は、開封部を区画する破断線を説明する開封部の拡大図である。図１２（ｂ）は、破断線を説明する拡大図（概略図）である。
【図１３】図１３（ａ）は、開封部を区画する破断線を説明する開封部の拡大図である。  図１３（ｂ）は、開封部を区画する破断線を説明する開封部の拡大図である。
【発明を実施するための形態】
【００１５】
この発明の一実施形態に係る包装箱１０について、主に図１から図１３を参照しながら説明する。本実施形態では、包装箱１０が、商品などを包装したり運搬したりする際に使用される包装箱である例に適用して説明する。なお、以降の説明において、前後、左右、上下の方向は、特に断りの無い限りそれぞれ図中に示す方向とする。また包装箱１０の内容物を収容する側を内側と、その反対の側を外側と記載する。
【００１６】
１．包装箱の構成の説明
はじめに包装箱１０の構成について、主に図１〜２を参照して説明を行う。本実施形態に係る包装箱１０は、主に図２に示される略直体形の包装箱である。包装箱１０は、図１に示す所定の形状に加工されたシート材１が、所定の箇所で折り曲げられて組み立てられたものである。
【００１７】
本実施形態においてこのシート材１は、段ボールシートが所定の形状に形成されたものである例に適用して以降の説明を行う。なお、シート材１は、ボール材や他の公知のシート部材が形成されたものであってもよい。本実施形態では、段ボールシートの紙巾方向（段ボールシートの中芯が延びる方向）が、包装箱１０の上下方向、即ち包装箱１０の底側から蓋側に向かう方向となる様に、シート材１が形成されている例に適用して以降の説明を行う。但し、段ボールシートの紙巾方向が、上記と異なる向きとされていてもよい。
【００１８】
包装箱１０には、本体部１１、一対の外側蓋フラップ２１，４１、一対の内側蓋フラップ３１，５１、一対の外側底フラップ２２，４２、及び一対の内側底フラップ３２，５２が主に備えられている。
【００１９】
本体部１１は、包装箱１０の四角筒状の側面を構成するものである。この本体部１１の一方の開口が、包装箱１０の上側（蓋側）の開口部となり、他方の開口が、包装箱１０の下側（底側）の開口部となる。本体部１１には、左側面部２、前側面部３、右側面部４、及び後側面部５が主に設けられている。左側面部２、前側面部３、右側面部４、及び後側面部５はそれぞれ略長方形の形状をしている。なお、以降において、左側面部２、前側面部３、右側面部４及び後側面部５を総称して「側面部」とも記載する。
【００２０】
本体部１１は、展開された状態において帯状に延びる長方形状をしている。本体部１１は、この展開された状態において、その一方の端側に左側面部２が、他方の端側に後側面部５が配置されており、各側面部が、一方の端側から左側面部２、前側面部３、右側面部４、後側面部５の順番でそれぞれ並んで配置されている。左側面部２と前側面部３の境目には、折り目２４が設けられている。また、前側面部３と右側面部４の境目には折り目４３が、右側面部４と後側面部５の境目には折り目４４がそれぞれ設けられている。
【００２１】
なお本実施形態における前側面部３が、特許請求の範囲における第１の側面部とされている。また、本実施形態における左側面部２及び右側面部４が、特許請求の範囲における一組の第２の側面部と、後側面部５が特許請求の範囲における第３の側面部とされている。
【００２２】
左側面部２の前側面部３とは反対側の辺から、本体部１１を四角筒状に形成する際に用いられる接着部６が、側面部が並ぶ方向に延出している。左側面部２と接着部６の境目には折り目２３が設けられている。
【００２３】
前側面部３の上側の辺から、略長方形の内側蓋フラップ３１が、側面部が並ぶ方向と交わる方向に延出している。前側面部３と内側蓋フラップ３１の境目には、折り目３５が設けられている。後側面部５の上側の辺から、略長方形の内側蓋フラップ５１が同様に延出している。後側面部５と内側蓋フラップ５１の境目には、折り目５５が設けられている。内側蓋フラップ３１及び内側蓋フラップ５１は、折り目３５，５５にて側面部に対して略９０°となる様にそれぞれ折り曲げられて、包装箱１０の上側の開口部の少なくとも一部を塞ぎ、包装箱１０の上面の一部となる部分である。なお本実施形態における前側面部３の上側の辺が、特許請求の範囲における上端とされている。また、本実施形態における内側蓋フラップ３１が、特許請求の範囲における蓋フラップとされている。
【００２４】
左側面部２の上側の辺から、略長方形の外側蓋フラップ２１が、側面部が並ぶ方向と交わる方向に延出している。左側面部２と外側蓋フラップ２１の境目には、折り目２５が設けられている。また、右側面部４の上側の辺から、略長方形の外側蓋フラップ４１が同様に延出している。右側面部４と外側蓋フラップ４１の境目には、折り目４５が設けられている。外側蓋フラップ２１，４１は、それぞれ折り目２５，４５にて側面部に対して略９０°となる様にそれぞれ折り曲げられて、包装箱１０の上側の開口部を塞ぐ蓋部となる部分であり、包装箱１０の上側の面の一部となる部分である。
【００２５】
前側面部３の下側の辺からは、矩形の内側底フラップ３２が、側面部が並ぶ方向と交わる方向に延出している。前側面部３と内側底フラップ３２の境目には、折り目３６が設けられている。後側面部５の下側の辺からは、略長方形の内側底フラップ５２が同様に延出している。後側面部５と内側底フラップ５２の境目には、折り目５６が設けられている。内側底フラップ３２及び内側底フラップ５２は、折り目３６，５６にて側面部に対して略９０°となる様にそれぞれ折り曲げられて、包装箱１０の下側の開口部の少なくとも一部を塞ぎ、包装箱１０の底面部の一部となる部分である。なお本実施形態における前側面部３の下側の辺が、特許請求の範囲における下端とされている。また内側底フラップ３２が、特許請求の範囲における底フラップとされている。
【００２６】
左側面部２の下側の辺から、略長方形の外側底フラップ２２が、側面部が並ぶ方向と交わる方向に延出している。左側面部２と外側底フラップ２２の境目には、折り目２６が設けられている。右側面部４の下側の辺から、略長方形の外側底フラップ４２が同様に延出している。右側面部４と外側底フラップ４２の境目には、折り目４６が設けられている。外側底フラップ２２，４２は、それぞれ折り目２６，４６にて側面部に対して略９０°となる様に折り曲げられて、包装箱１０の下側の開口の一部を塞ぎ、包装箱１０の底面部の一部となる部分である。本実施形態における、外側蓋フラップ２１及び外側蓋フラップ４１が、特許請求の範囲における外側蓋フラップとされている。また、本実施形態における外側底フラップ２２及び外側底フラップ４２が、特許請求の範囲における外側底フラップと、本実施形態における内側底フラップ３２，５２、及び外側底フラップ２２，４２が特許請求の範囲における底側フラップとされている。なお以降の説明において、折り目２３〜２６、折り目３５，３６、折り目４３〜４６及び折り目５５，５６を総称して「折り目」とも記載する。また、折り目が設けられた各側面との境目や側面とフラップの境目のことを単に「折り目」とも記載する。
【００２７】
本実施形態において折り目とは、シート材１を所望の位置で折り曲げやすくするために、シート材１の少なくとも一方の側の面に設けられた直線状の罫線をいう。具体的には、シート材１の所望の部分を、厚さ方向に圧縮し、当該一方の側のライナー及び中芯の部分をつぶした直線状の部分（窪ませた部分）をいう。本実施形態では、包装箱１０を組み立てた際に内側を向く側であるシート材１の内側の面に、それぞれの折り目が設けられている例に適用して以降の説明を行う。また、シート材１の紙巾方向と交わる方向に設けられている、折り目２５，３５，４５，５５、及び折り目２６，３６，４６，５６と対応するシート材１の外側の面の部分には、内側の面に設けられたそれぞれの折り目を挟むようにして、図示されていない一組の補助罫線が、それぞれの折り目と略平行に設けられている。折り目２５を例に具体的に説明すると、左側面部２の外側の面の折り目２５側の部分に、シート材１の内側の面に向かう厚さ方向に、シート材１を圧縮して形成された直線状の補助罫線２５ａが、折り目２５と略平行にけられている。また、外側蓋フラップ２１の外側の面の折り目２５側の部分に、シート材１の内側の面に向かう厚さ方向に、シート材１を圧縮して形成された直線状の補助罫線２５ｂが、折り目２５と略平行にそれぞれ設けられている（図２（ｂ）参照。）。
【００２８】
他の折り目３５，４５，５５、及び折り目２６，３６，４６，５６に対応するシート材１の外側の面にも同様に、図示されていない補助罫線がそれぞれ設けられている。この様な補助罫線を設けることで、段ボールシートの紙巾方向と交わる方向に折り目を設けた場合であっても、シート材１を容易に所定の方向に折り曲げ易くすることができる。なお、シート材１を所望の位置で折り曲げることができるものであれば、上記の様な予備罫線を設けない構成としてもよい。また折り目は、他の公知の方法によって設けられたものであってもよい。
【００２９】
前側面部３には、一組の易開封線７１Ｒ，７１Ｌが、折り目２４，４３と略平行に設けられている。易開封線７１Ｒは、前側面部３の右側（右側面部４の側）の部分に設けられており、また易開封線７１Ｌは、前側面部３の左側（左側面部２の側）の部分に設けられている。本実施形態における易開封線７１Ｒ，７１Ｌが、特許請求の範囲における一組の第１の易開封線とされている。
【００３０】
ここで易開封線とは、包装箱１０の開封作業等を行う使用者が、所定の方向の力を加えると、シート材１を所望の方向に引き裂くことができる様に加工されたシート材１の部分をいう。本実施形態では、易開封線７１Ｒ，７１Ｌが、略くの字の状の切り込みが、所定の間隔を空けて同一の仮想線上に連続して並んで設けられた破断線と、折り目３５側に設けられた直線状の切り込みからなる例に適用して以降の説明を行う。なお易開封線は、使用者がシート材１を所定の向きに容易に引き裂くことができる様に加工されたものであれば、他の公知の方法でシート材１が加工されたものであってもよい。以降の説明において、この易開封線の切り込みが並ぶ仮想線が延びる方向を、「易開封線の方向」、あるいは「易開封線が延びる方向」とも記載する。
【００３１】
易開封線７１Ｒは、それぞれの端部が、折り目３５及び折り目３６と交わるようにして設けられている。易開封線７１Ｌも同様に、それぞれの端部が折り目３５及び折り目３６と交わるようにして設けられている。
【００３２】
本実施形態において、易開封線の端部と折り目が交わるようにして設けられている（形成されている）状態には、易開封線の一番端側に配置された切り込みの端部が、折り目上に設けられている場合の他、当該切り込みが、折り目と交差して設けられている状態も含むものとする。また、易開封線の一番端側に配置された切り込みの端部が、対応する折り目と離間して設けられていても、その離間の長さが、使用者が当該易開封線に沿ってシート材１を引き裂く際に、意図した方向にその折り目の部分まで容易に切り裂くことができる程度の長さである場合には、当該易開封線は、折り目と交わって配置されている状態に含まれるものとする。
【００３３】
易開封線７１Ｒを例に具体的に説明すると、易開封線７１Ｒの一番底側に配置された切り込みの下側の端部と、折り目３６が離間していても、例えばその離間の距離が、易開封線７１Ｒを構成する破断線の切り込みの間隔ｄの長さと略同一であるか、当該間隔の長さよりも短い長さである場合には、易開封線７１Ｒは、折り目３６と交わって設けられている状態であるとする（図１３（ａ）参照。）。あるいは、易開封線７１Ｒの一番底側に配置された切り込みの下側の端部が、折り目３６の上側の前側面部３の他の部分よりも厚さが薄くなった部分（前側面部３の内側の面の折り目３６を設けたことに伴い他の部分より窪んだ部分）に達している場合は、易開封線７１Ｒは、折り目３６と交わって設けられている状態であるとする。あるいは、易開封線７１Ｒの一番底側に配置された切り込みの下側の端部が、前側面部３の外側の面に設けられた予備罫線３６ａの部分（他の部分よりも窪んでいる部分）に達しているような場合も、易開封線７１Ｒは、折り目３６と交わって設けられている状態であるものとする（図１３（ｂ）参照。）。なお、他の易開封線と他の折り目についても同様である。
【００３４】
本実施形態では、易開封線７１Ｒ，７１Ｌの最も下端側に設けられた切り込みの下側の端部が、折り目３６上にあり、易開封線７１Ｒ，７１Ｌの最も上端側に設けられた切り込みの上側の端部が、折り目３５上にある例に適用して以降の説明を行う。
【００３５】
易開封線７１Ｒと折り目３６が交わる交点ｂ１（易開封線７１Ｒの切り込みが並ぶ仮想線と折り目３６が交わる交点）と、折り目３６の右側の端部との間に、易開封線７５Ｒが設けられている。また、易開封線７１Ｌと折り目３６が交わる交点ｂ２（易開封線７１Ｌの切り込みが並ぶ仮想線と折り目３６が交わる交点）と、折り目３６の左側の端部との間に、易開封線７５Ｌが設けられている。本実施形態では、易開封線７５Ｒ，７５Ｌが、それぞれ折り目３６と同じ方向に延びる略Ｈ字状の切り込みである例に適用して以降の説明を行う。
【００３６】
具体的には、易開封線７５Ｒ，７５Ｌが、それぞれ折り目３６上に設けられた直線状の切り込みと、当該直線状の切り込みの両側に直角に交わる様に設けられた、上記の直線状の切り込みよりも短い切り込みである例に適用して以降の説明を行う。この様に切り込みの両側に直角に交わる短い切り込みを設けたことで、包装箱１０に力が加わった場合などに、易開封線７５Ｒ，７５Ｌの端側から裂け目が広がってしまうことを防ぐことができる。なお易開封線７５Ｒ，７５Ｌは、他の公知の形状の切り込みや、他の公知の方法で加工された易開封線であってもよい。本実施形態における易開封線７５Ｒ，７５Ｌが、特許請求の範囲における第６の易開封線、及び第７の易開封線とされている。
【００３７】
内側蓋フラップ３１には、易開封線７２Ｒ，７２Ｌ、易開封線７３、易開封線７４、貫通孔７６及び貫通孔７７が主に設けられている。易開封線７２Ｒは、易開封線７１Ｒと折り目３５が交わる箇所（易開封線７１Ｒの切り込みが並ぶ仮想線と折り目３５の交点）から、折り目３５とは反対側にある内側蓋フラップ３１の辺３８に向かい、内側蓋フラップ３１の中央付近まで直線状に延びて形成された破断線である。換言すれば、易開封線７２Ｒは、包装箱１０を展開した状態において、易開封線７１Ｒが延びる方向と同一線上に連続して延びて形成された破断線である。本実施形態では易開封線７２Ｒが、易開封線７１Ｒの折り目３５側の直線状の切り込みと折り目３５が交わる箇所から、辺３８に向かい内側蓋フラップ３１の中央付近まで直線状に延びている例に適用して以降の説明を行う。
【００３８】
易開封線７２Ｌは、易開封線７１Ｌと折り目３５が交わる箇所（易開封線７１Ｌの切り込みが並ぶ仮想線と折り目３５の交点）から辺３８に向かい、内側蓋フラップ３１の中央付近まで直線状に延びる破断線である。換言すれば、易開封線７２Ｌは、包装箱１０を展開した状態において、易開封線７１Ｌが延びる方向と同一線上に、易開封線７１Ｌから連続して延びている。本実施形態では易開封線７２Ｌが、折り目３５側に設けられた易開封線７１Ｌの直線状の切り込みと折り目３５が交わる箇所から、辺３８に向かい内側蓋フラップ３１の中央付近まで直線状に延びている例に適用して以降の説明を行う。また本実施形態では、易開封線７２Ｒ，７２Ｌが、略くの字状の切り込みが所定の間隔で設けられた破断線である例に適用して以降の説明を行う。なお、易開封線７２Ｒ，７２Ｌは、他の形状の切り込みが所定の間隔で設けられた破断線であったり、他の公知の方法で設けられた易開封線であったりしても良い。本実施形態では、易開封線７２Ｒ，７２Ｌの折り目３５側の切り込みが、折り目３５と交わり、前側面部３まで直線状に延びている例に適用して説明を行う。即ち、易開封線７２Ｒ，７２Ｌの折り目３５側の切り込みが、折り目３５と交差し、易開封線７１Ｒ，７１Ｌの折り目３５側の直線状の切り込みと連続的に繋がっている例に適用して以降の説明を行う。
【００３９】
易開封線７３は、易開封線７２Ｒ，７２Ｌの辺３８側の端部をつなぐ、弧状の易開封線である。本実施形態では、易開封線７３が、内側蓋フラップ３１の所定の箇所を弧状に切り込んだ切り込みである例に適用して以降の説明を行う。なお易開封線７３は、他の公知の方法で形成されたものであってもよい。また易開封線７３は、易開封線７２Ｒ，７２Ｌの辺３８側の端部をつなぐものであれば、他の形状をしていてもよい。
【００４０】
なお、本実施形態において、易開封線と他の易開封線がつながっている状態とは、易開封線が破断線からなる場合において、一方の破断線の端側の切り込みの端部と、当該破断線に向かって延びる他方の破断線の端部が交わっている場合をいう。あるいは、一方の破断線の端部と他方の破断線の端部が離間していても、その離間の長さが、使用者が当該易開封線に沿ってシート材１を引き裂く際に、意図した方向にそれぞれの破断線の端部の切り込みから裂け目が伸びて、それぞれの切り込みの端部が容易につながる程度の長さであれば、当該易開封線と他の易開封線はつながった状態であるとする。易開封線７２Ｒと開封線７３を例に適用して説明すると、易開封線７２Ｒの最も上側に位置する切り込みの上側の端部と、易開封線７３の右側の端部が離間した状態であったとしても、その離間の距離が、それらの部分に開封のための力が加わった際に、易開封線７２Ｒの上側の切り込みの端部と易開封線７３の右側の端部との間に裂け目が生じ、易開封線７２Ｒの上側の切り込みの端部と易開封線７３の端部が容易につながる場合にも、易開封線７２Ｒと易開封線７３はつながっている状態であるとする。
【００４１】
本実施形態における易開封線７２Ｒ，７２Ｌが、特許請求の範囲における一組の第４の易開封線とされている。また易開封線７３が、特許請求の範囲における第５の易開封線とされている。また、易開封線７２Ｒ，７２Ｌ及び易開封線７３が、特許請求の範囲における第２の易開封線とされている。
【００４２】
易開封線７４は、易開封線７２Ｒの辺３８側の端部と、易開封線７３が交わる箇所の近傍にある分離開始部７４ａから、辺３８よりも所定の距離だけ折り目３５側にある内側蓋フラップ３１の箇所７４ｂに向かって延びて形成された略Ｌ字状の切り込みである。易開封線７４は、開封の際に、詳細は後述する蓋側残余部３０を左右二つの部分に分割するための易開封線である。なお易開封線７４は、蓋側残余部３０を左右二つの部分に分割できるものであれば、他の形状をしていてもよい。あるいは易開封線７４は、他の公知の方法によって設けられた易開封線でもよい。本実施形態において箇所７４ｂが、１０ｍｍ程度、易開封線７２Ｒが延びる方向に辺３８から折り目３５の側に離れた内側蓋フラップ３１の部分に設けられている例に適用して以降の説明を行う。なお箇所７４ｂの位置は、包装箱１０を開封する際に、易開封線７４から延びた裂け目が辺３８に達し、使用者が蓋側残余部３０を左右二つの部分に分割することができるのであれば、上記とは異なる位置に設けられていてもよい。あるいは、易開封線７４が辺３８上に設けられていてもよい。即ち易開封線７４が、辺３８まで延びていてもよい。
【００４３】
本実施形態では、分離開始部７４ａが、易開封線７２Ｒの辺３８側の端部と、易開封線７３の右側の端部が交わる点から約２〜３ｍｍ程度右側にずれた箇所に設けられている例に適用して説明を行う。なお、分離開始部７４ａは、上記以外の場所に設けられていてもよく、例えば分離開始部７４ａが、易開封線７２Ｒと易開封線７３が交わる部分に設けられていてもよい。あるいは分離開始部７４ａが、易開封線７２Ｒと易開封線７３が交わる部分の近傍の易開封線７２Ｒ上の箇所や、易開封線７３上の箇所に設けられていてもよい。
【００４４】
あるいは、分離開始部７４ａは、開封時に使用者が詳細は後述する蓋側残余部３０を左右方向に分割するために力を加えた際に、易開封線７２Ｒあるいは易開封線７３上の任意の箇所から分離開始部７４ａまで裂け目が生じ、易開封線７２Ｒあるいは易開封線７３と、分離開始部７４ａがつながる程度の距離であれば、分離開始部７４ａが、易開封線７２Ｒ及び易開封線７３から離れ、蓋側残余部３０の任意の箇所に設けられていてもよい。本実施形態における易開封線７４が、特許請求の範囲における第３の易開封線とされている。また辺３８が、特許請求の範囲における端辺とされている。
【００４５】
本実施形態において、易開封線７１Ｒ，７１Ｌ、易開封線７２Ｒ，７２Ｌ及び易開封線７３にて区画された前側面部３及び内側蓋フラップ３１の部分が、開封部３７となっている。開封部３７は、その周囲に設けられた易開封線７１Ｒ，７１Ｌ、易開封線７２Ｒ，７２Ｌ及び易開封線７３に沿って、辺３８の側から前側面部３の底面側に向かって引き裂かれ、内容物を取り出す際の開口の一部となる取出開口部３９を形成する部分である。なお以降の説明において、内側蓋フラップ３１における開封部３７の辺３８側を、「開封開始側」とも記載する。
【００４６】
内側蓋フラップ３１において、易開封線７２Ｒ，７２Ｌ及び易開封線７３にて区画された、開封部３７とは反対の部分が、蓋側残余部３０である。蓋側残余部３０は、易開封線７２Ｒと内側蓋フラップ３１の右側の辺にて挟まれた右領域３０ａと、易開封線７２Ｌと内側蓋フラップ３１の左側の辺にて挟まれた左領域３０ｂとが、辺３８と易開封線７３で挟まれた端領域３０ｃにてつながった略Ｕ字形状の部分である。
【００４７】
内側蓋フラップ３１における開封部３７の開封開始側の部分に、略楕円形状の貫通孔７６が設けられている。また貫通孔７６よりも折り目３５側の部分に、帯状の保持部７８を挟んで略楕円形状の貫通孔７７が設けられている。貫通孔７６及び貫通孔７７は、使用者が取出開口部３９を形成する際に、手指を抜き差しする部分である。また保持部７８は、使用者が包装箱１０を開封する際に、貫通孔７６及び貫通孔７７に挿入した手指等で保持する部分である。本実施形態における貫通孔７６，７７が、特許請求の範囲における挿入可能部とされている。
【００４８】
外側蓋フラップ４１及び外側底フラップ４２には、折り目４４と平行に延びる折り曲げ線４７，４８がそれぞれ設けられている。折り曲げ線４７，４８は、包装箱１０をつぶして、更にコンパクトな大きさに畳む際に、右側面部４、外側蓋フラップ４１及び外側底フラップ４２を折り畳むための折り曲げ線である。
【００４９】
本実施形態において折り曲げ線４７は、外側蓋フラップ４１における仮想線４９の部分に設けられた、仮想線４９が延びる方向延びる二つの切り込みである例に適用して以降の説明を行う。この二つの切り込みは、仮想線４９が延びる方向に間隔を空けて並んで配置されている。なお仮想線４９は、折り目５５の、左側面部２と隣接する側の端部から、包装箱１０の前後方向の幅Ｘ（左側面部２の前後方向の幅）と同じ長さだけ折り目５５の同一線上に離れた位置にある折り目４５上の点ｂ３を通り、折り目４４と平行に延びる仮想の直線をいう。
【００５０】
本実施形態において折り曲げ線４８は、外側底フラップ４２における仮想線４９の部分に設けられた、仮想線４９が延びる方向延びる二つの切り込みである例に適用して以降の説明を行う。この二つの切り込みは、仮想線４９が延びる方向に間隔を空けて並んで配置されている。
【００５１】
なお、折り曲げ線４７，４８は、右側面部４の仮想線４９の部分に設けられていてもよい。あるいは折り曲げ線４７，４８は、外側蓋フラップ４１、外側底フラップ４２及び右側面部４の少なくともいずれか一つの、仮想線４９よりも折り目４３側の部分に設けられていてもよい。また、折り曲げ線４７，４８を、外側蓋フラップ２１、及び外側底フラップ２２、あるいは左側面部２に設けてもよい。さらに折り曲げ線４７，４８は、仮想線４９上に設けられた折り目であってもよく、あるいは折り曲げを容易にするために他の公知の方法で設けられた折り曲げ線であってもよい。あるいは折り曲げ線４７，４８を設けない構成としてもよい。
【００５２】
なお本実施形態では、破断線を構成する切り込みや、その他の部分に設けられる切り込みは、シート材１の一方の側から刃が入れられて、少なくともシート材１の一方の側のライナーと、対応する箇所にある中芯の少なくとも一部が切り込まれて形成されたものである例に適用して以降の説明を行う。なお、切り込みは、対応する反対側のライナーの一部が同様に切り込まれていたり、あるいは対応する部分の両方のライナーと中芯が完全に切られ、シート材１を貫通して形成されていたりしてもよい。
【００５３】
＜易開封線７１Ｒ，７１Ｌの説明＞
続いて易開封線７１Ｒ，７１Ｌについて、図１１（ａ），図１１（ｂ）を参照しながら説明を行う。本実施形態では、易開封線７１Ｒ，７１Ｌは、略くの字状の切り込みが、所定の間隔で連続的に設けられた破断線である。具体的に易開封線７１Ｒ，７１Ｌは、切り込みの頂点ｊ１が右側（折り目４３側）を向く切り込みｅと、切り込みの頂点ｊ２が左側（折り目２４側）を向く切り込みｆが交互に直線状に並んで配置された破断線である（図１１（ａ）参照。）。
【００５４】
切り込みｅは、下側に延びる切り込みｇ１と上側に延びる切り込みｈ１からなり、切り込みｇ１と切り込みｈ１の交わる部分が頂点ｊ１とされている。また、切り込みｆは、下側に延びる切り込みｇ２と上側に延びる切り込みｈ２からなり、切り込みｇ２と切り込みｈ２が交わる部分が頂点ｊ２とされている（図１１（ｂ）参照。）。なお、本実施形態では、切り込みｇ１、切り込みｈ１、切り込みｇ２及び切り込みｈ２の長さがそれぞれ略同一である例に適用して説明を行うが、切り込みｇ１と切り込みｈ１の長さが異なっていたり、切り込みｇ２と切り込みｈ２の長さが異なっていたりしてもよい。あるいは切り込みｇ１、切り込みｈ１、切り込みｇ２及び切り込みｈ２の長さがそれぞれ異なっていてもよい。
【００５５】
切り込みｅ及び切り込みｆは、それぞれの上下の端部が、易開封線７１Ｒ，７１Ｌが延びる方向と同一の方向に延びる仮想線Ａ上にあるように、それぞれ配置されている。即ち、切り込みｅ及び切り込みｆは、切り込みｇ１，ｇ２の下側の端部、及び切り込みｈ１，ｈ２の上側の端部がそれぞれ同一の仮想線Ａ上にある様に配置されている。また、切り込みｅと切り込みｆは、その間隔が距離ｄ１となる様に配置されている。具体的に説明すると、切り込みｅ及び切り込みｆは、切り込みｅの下側の端部（切り込みｇ１の下側の端部）と、切り込みｅの下側に隣接する切り込みｆの上側の端部（切り込みｈ２の上側の端部）との間が、距離ｄ１となる様に配置されている。また、切り込みｅの上側の端部（切り込みｈ１の上側の端部）と、切り込みｅの上側に隣接する切り込みｆの下側の端部（切り込みｇ２の下側の端部）との間が、距離ｄ１となるように、切り込みｅ及び切り込みｆは配置されている。
【００５６】
この様にされた易開封線７１Ｒ，７１Ｌでは、略くの字状の切り込みｅと切り込みｆが、交互に所定の間隔で並んで配置されている。このため、切り込みｅの下側の切り込みｇ１が延びる方向（切り込みｇ１の下側の延長線上）には、これに交わる切り込みｆが存在しない。また、切り込みｅの切り込みｈ１が延びる方向（切り込みｈ１の上側の延長線上）にも、これに交わる切り込みｆは存在しない。同様に、切り込みｆの切り込みｇ２が延びる方向（切り込みｇ２の下側の延長線上）にも、切り込みｈ２が延びる方向（切り込みｈ２の上側の延長線上）にも、それらに交わる切り込みｅは存在しない。
【００５７】
例えば輸送時などに、包装箱１０に衝撃が与えられ、包装箱１０に意図しない力が加えられた際に、易開封線７１Ｒ，７１Ｌに上下方向に向かう力が加わる場合がある。この場合、切り込みｅの下側の端部や、切り込みｆの下側の端部から、切り込みｇ１及び切り込みｇ２が延びる方向に裂け目が生じる場合がある。しかしながら、上記の様に構成された破断線からなる易開封線７１Ｒ，７１Ｌであれば、それぞれの破断線を構成する切り込みｅと切り込みｆは所定の距離ｄ１を空けて配置され、切り込みｅ及び切り込みｆを構成するそれぞれの切り込みｇ１，ｇ２及び切り込みｈ１，ｈ２が延びる方向に他の切り込みはないため、切り込みの端部から自然に延びた裂け目が隣接する他の切り込みに連続的につながって、易開封線７１Ｒ，７１Ｌが自然に裂けてしてしまうことを防ぐことができる。なお、切り込みｅと切り込みｆの間隔は、切り込みｇ１，ｇ２及び切り込みｈ１，ｈ２がそれぞれ延びる方向に、他の切り込みが存在しない様に配置されていれば、等間隔で配置されていなくてもよい。例えば、切り込みｅの下側の端部と切り込みｅの下側に隣接する切り込みｆの上側の端部との間の距離と、切り込みｅの上側の端部と切り込みｅの上側に隣接する切り込みｆの下側の端部との間の距離が異なる長さであってもよい。あるいは、切り込みｅと切り込みｆの全ての間隔がそれぞれ異なる距離であってもよい。
【００５８】
なお、易開封線を、図１２（ａ）に示す様な構成としてもよい。図１２（ａ）、図１２（ｂ）を参照して具体的に説明すると、易開封線８１Ｒ，８１Ｌは、略くの字状の切り込みが、二列に並んだ破断線からそれぞれ構成されている。易開封線８１Ｒを例に具体的に説明をすると、易開封線８１Ｒは、略くの字状の切り込みｋ１が、所定の間隔で仮想線Ｂ上に並ぶ切り込み列Ｂ１と、略くの字状の切り込みｋ２が、仮想線Ｂと所定の間隔をあけて平行に延びる仮想線Ｃ上に並ぶ切り込み列Ｃ１から構成されている（図１２（ａ）参照）。なお仮想線Ｂ及び仮想線Ｃは、いずれも易開封線８１Ｒが延びる方向に延びる仮想の直線である。
【００５９】
切り込み列Ｂ１を構成する切り込みｋ１は、下側に向かって延びる切り込みｍ１と、上側に向かって延びる切り込みｎ１からできている。切り込みｍ１と切り込みｎ１が交わる部分が、切り込みｋ１の頂点とされている。なお、本実施形態では、切り込みｍ１と切り込みｎ１の長さが異なる例に適用して以降の説明を行うが、切り込みｍ１と切り込みｎ１の長さが略同一であってもよい。切り込みｋ１は、切り込みｍ１の下側の端部がそれぞれ仮想線Ｂ上に位置する様に、間隔ｄ２を空けて直線状に並んで配置されている。即ち、一つの切り込みｋ１の切り込みｍ１の下側の端部と、当該切り込みｋ１の下側に隣接する他の切り込みｋ１の切り込みｎ１の上側の端部との間の、仮想線Ｂが延びる方向の長さが、距離ｄ２となる様にそれぞれが配置されている。換言すると、仮想線Ｂ上に並ぶ切り込みｋ１のそれぞれの間に、仮想線Ｂが延びる方向の長さが距離ｄ２の、切り込みが設けられていない第１領域ｐ１が設けられている（図１２（ｂ）参照。）。
【００６０】
切り込み列Ｃ１を構成する切り込みｋ２は、下側に向かって延びる切り込みｍ２と、上側に向かって延びる切り込みｎ２からできている。切り込みｋ２は、切り込みｍ２と切り込みｎ２が交わる頂点が、切り込みｋ１の頂点と同じ側を向く様にして配置されている。なお、本実施形態では、切り込みｍ２と切り込みｎ２の長さが異なる例に適用して以降の説明を行うが、切り込みｍ２と切り込みｎ２の長さが略同一であってもよい。切り込みｋ２は、切り込みｍ２の下側の端部がそれぞれ仮想線Ｃ上に位置する様に、間隔ｄ３を空けて直線状に並んで配置されている。即ち、一つの切り込みｋ２の切り込みｍ２の下側の端部と、当該切り込みｋ２と下側に隣接する他の切り込みｋ２の切り込みｎ２の上側の端部との間の、仮想線Ｃが延びる方向の長さが、距離ｄ３となる様にそれぞれが配置されている。換言すると、仮想線Ｃ上に並ぶ切り込みｋ２の間に、仮想線Ｃが延びる方向の長さが距離ｄ３の、切り込みが設けられていない第２領域ｐ２が設けられている。
【００６１】
切り込みｋ１と切り込みｋ２は、易開封線８１Ｒが延びる方向に左右に互い違いに並び、間隔ｄ４を空けて配置されている。具体的に説明すると、切り込みｋ１は、仮想線Ｂ上の、第２領域ｐ２と隣接する部分に設けられている。切り込みｋ２は、仮想線Ｃ上の、第１領域ｐ１と隣接する部分に設けられている。即ち切り込みｋ１及び切り込みｋ２は、それぞれの切り込みが設けられていない領域と隣接する部分に、交互に配置されている。
【００６２】
切り込みｋ１は、その上側の端部が、上側に隣接する切り込みｋ２の下側の端部から仮想線Ｂ及び仮想線Ｃが延びる方向に距離ｄ４だけ離れた位置となる様に配置されている。また切り込みｋ１は、その下側の端部が、下側に隣接する切り込みｋ２の上側の端部から仮想線Ｂ及び仮想線Ｃが延びる方向に距離ｄ４だけ離れた位置となる様に配置されている。
【００６３】
切り込みｋ２は、その上側の端部が上側に隣接する切り込みｋ１の下側の端部から、仮想線Ｂ及び仮想線Ｃが延びる方向に距離ｄ４だけ離れた位置となる様に配置されている。また切り込みｋ２は、その下側の端部が、下側に隣接する切り込みｋ１の上側の端部から仮想線Ｂ及び仮想線Ｃが延びる方向に距離ｄ４離れた位置となる様に配置されている。なお、易開封線８１Ｌも、易開封線８１Ｒと同様に構成されている。
【００６４】
この様に構成された易開封線８１Ｒ，８１Ｌでは、切り込みｋ１と切り込みｋ２がそれぞれ間隔を空けて互い違いに配置されており、少なくとも切り込み列Ｂ１を構成する切り込みｋ１の切り込みｍ１が延びる下側の方向（切り込みｍ１の下側に向かう延長線上）に、隣接する切り込みが存在していない。このため、包装箱１０に上下方向の力が加わり、切り込みｋ１の切り込みｍ１が延びる下側の方向に切れ目が延びたとしても、当該切れ目が隣接する切り込みｋ２につながる畏れが少ない。このため、例えば包装箱１０の輸送の際などに上下方向の力が加わった場合などであっても易開封線８１Ｒ，８１Ｌが自然に破断されることが防がれることが期待できる。なお、本実施形態では、切り込みｋ１及び切り込みｋ２がそれぞれ仮想線Ｂ及び仮想線Ｃ上に等間隔で配置されている例に適用して説明を行ったが、下側に延びる切り込みの延長線上に、隣接する切り込みが存在しない様に配置されるのであれば、それぞれが異なる間隔で配置されていてもよい。例えば、切り込みｋ１が仮想線Ｂ上にそれぞれが異なる間隔で配置されていたり、または、切り込みｋ２が仮想線Ｃ上にそれぞれが異なる間隔で配置されていたりしてもよい。あるいは、切り込みｋ１と仮想線Ｂ及び仮想線Ｃが延びる方向に隣接する切り込みｋ２との間隔が、それぞれ異なる距離で配置されていてもよい。  
【００６５】
２．組立方法の説明
続いて包装箱１０の組み立て方法について、主に図１から図２を参照して説明を行う。はじめに本体部１１を折り目２４，４３，４４にて、隣接するそれぞれの側面部がなす角度が略９０°となる様に内側に折り曲げ、本体部１１を四角筒状に組み立てる。続いて接着部６を、折り目２３にて内側に折り曲げ、その外側の面を、後側面部５の内側の面の左側面部２と隣接する辺の側の部分に公知の接着方法などによって固定する。
【００６６】
本体部１１を四角筒状に組み立てた後、本体部１１の下側の開口部を閉じて包装箱１０の底面部を形成する。具体的には、内側底フラップ３２を折り目３６にて前側面部３に対して略９０°となる様に内側に折り曲げる。内側底フラップ５２も同様に、折り目５６にて後側面部５に対して略９０°となる様に内側に折り曲げる。続いてその内側の面が、内側底フラップ３２の外側の面と内側底フラップ５２の外側の面と重なる様にして、外側底フラップ２２を折り目２６にて折り曲げる。同様に外側底フラップ４２を、その内側の面が内側底フラップ３２の外側の面と内側底フラップ５２の外側の面と重なる様にして、折り目４６にて折り曲げる。外側底フラップ２２及び外側底フラップ４２を折り曲げて本体部１１の下側の開口部を閉じたら、接着テープなどの公知の方法で外側底フラップ２２及び外側底フラップ４２を固定する。
【００６７】
商品等の内容物を包装箱１０の内側に収納した後、本体部１１の上側の開口部を閉じる。具体的には、内側蓋フラップ３１を、折り目３５にて前側面部３となす角度が略９０°となる様に内側に折り曲げる。また、内側蓋フラップ５１を、折り目５５にて後側面部５となす角度が９０°となる様に内側に折り曲げる。続いてその内側の面が、内側蓋フラップ３１の外側の面と内側蓋フラップ５１の外側の面に重なる様にして、外側蓋フラップ２１を折り目２５にて折り曲げる。また、その内側の面が、内側蓋フラップ３１の外側の面と内側蓋フラップ５１の外側の面に重なる様にして、外側蓋フラップ４１を折り目４５にて折り曲げる。外側蓋フラップ２１及び外側蓋フラップ４１を折り曲げて本体部１１（包装箱１０）の上側の開口部を閉じたら、接着テープなどの公知の方法で外側蓋フラップ２１及び外側蓋フラップ４１を固定する。
【００６８】
３．開封方法の説明
続いて主に図２から図６を参照して、包装箱１０の開封方法について説明を行う。
はじめに包装箱１０の上側の面である蓋部を開封する。具体的には、外側蓋フラップ２１及び外側蓋フラップ４１を固定する接着テープなどを取り除き、外側蓋フラップ２１及び外側蓋フラップ４１を折り戻して外側に引き起こす。続いて内側蓋フラップ３１及び内側蓋フラップ５１を折り戻して外側に引き起こし、包装箱１０の上側の開口部を解放する（図３参照）。
【００６９】
続いて、開封部３７を引き裂いて、取出開口部３９を形成する。具体的には、片方の手の指を貫通孔７６及び貫通孔７７に挿入して保持部７８を保持して、開封部３７を前側の方向、即ち包装箱１０から前側に離れる方向に引っ張る。この際、蓋側残余部３０の左右いずれか一方の側を他方の手で保持し、蓋側残余部３０が開封部３７につられて前側方向に動かない様に押さえておく。
【００７０】
本実施形態では、使用者が右側に手で保持部７８を保持し、左側の手で蓋側残余部３０の辺３８側の左側の部分を押さえて開封作業を行う例に適用し、以下説明を行う。この場合、使用者が保持部７８を保持して開封部３７の開封開始側を前側に引っ張ると、蓋側残余部３０も、開封部３７とともに前側の方向に力を受ける。しかしながら、蓋側残余部３０の左側の部分（左領域３０ｂ）は、使用者の他方の手で押さえられているため、蓋側残余部３０の左側の部分は、開封部３７につられて前側に動くことが防がれる。また蓋側残余部３０の右側の部分である右領域３０ａは、端領域３０ｃによって左領域３０ｂと一体となっているため、同様に前側に動くことが防がれる。このため、使用者が保持部７８を保持して開封部３７を前側方向、より具体的には、包装箱１０から前側に離れ且つ下側に向かう方向に引っ張ると、易開封線７２Ｒ，７２Ｌ及び易開封線７３が引き裂かれ、開封部３７が内側蓋フラップ３１部分から分離される。更に使用者が開封部３７を前側方向に引っ張ると、前側面部３が易開封線７１Ｒ，７１Ｌに沿って引き裂かれて、開封部３７が前側面部３から分離する（図４参照）。なお、本実施形態では、易開封線７２Ｒ，７２Ｌの折り目３５側の切り込みが、折り目３５と交差し、易開封線７１Ｒ，７１Ｌの折り目３５側の直線状の切り込みと連続的に繋がって設けられているため、易開封線７２Ｒ，７２Ｌから連続して易開封線７１Ｒ，７１Ｌに沿って前側面部３を引き裂く作業が行い易い。即ち、易開封線７２Ｒ，７２Ｌに沿って内側蓋フラップ３１を引き裂いた後、続けて易開封線７１Ｒ，７１Ｌに沿って前側面部３を引き裂き始める際に、容易に前側面部３を引き裂き始めることができる。前側面部３が、易開封線７１Ｒ，７１Ｌにそってその下側まで引き裂かれると、内側蓋フラップ３１及び前側面部３の左右方向の略中心に、取出開口部３９が形成される（図５参照）。
【００７１】
続いて、内容物を取り出すために、前側面部３を完全に開いた状態にする。具体的には、はじめに蓋側残余部３０を易開封線７４にて引き裂いて、蓋側残余部３０を二つの部分に分割する。更に前側面部３において取出開口部３９の左側にある前側面残余部３３を易開封線７５Ｌにて引き裂いて前側に広げる。具体的には、内側底フラップ３２と前側面残余部３３の間のつながっている部分を易開封線７５Ｌにて引き裂いて、左側面部２と同一の面上にくるまで前側面残余部３３を折り戻す。この際、前側面残余部３３の上側につながる蓋側残余部３０は、易開封線７４にて左右の部分に引き裂かれているため、蓋側残余部３０の左側の一方は、前側面残余部３３と共に左側面部２側に移動する。
【００７２】
同様に前側面部３において取出開口部３９の右側にある前側面残余部３４を易開封線７５Ｒにて引き裂いて前側に広げる。具体的には、内側底フラップ３２と前側面残余部３４の間のつながっている部分を易開封線７５Ｒにて引き裂いて、右側面部４と同一の面上にくるまで前側面残余部３４を折り戻す。この際、蓋側残余部３０の右側の他方は、前側面残余部３４と共に右側面部４側に移動する（図５，６参照。）。
【００７３】
この様にすると、前側面部３は完全に開いた状態となり、包装箱１０の前側の部分から内容物を取り出すことができる様になる。なお、易開封線７５Ｒ，７５Ｌが引き裂かれると、内側底フラップ３２は開封部３７とともに包装箱１０の他の部分から分離した状態となり、包装箱１０の他の部分から引き離すことができる（図６参照）。
【００７４】
４．内容物取り出し後の包装箱の折り畳み方法
包装箱１０から内容物を取り出した後、廃棄等のために包装箱１０をつぶして折り畳む。はじめに包装箱１０の外側底フラップ２２及び外側底フラップ４２を固定している粘着テープ等を引きはがし、外側底フラップ２２，４２、及び内側底フラップ３２，５２をそれぞれ折り戻して、包装箱の下側を開いた状態とする。更に、左側面部２及び右側面部４を折り目２４及び折り目４３にて折り戻して、前側面残余部３３、左側面部２、後側面部５、右側面部４及び前側面残余部３４を同一平面上に広げる（図７参照）。更に、開封時に分離させた内側底フラップ３２と開封部３７を後側面部５の内側の面の上に重ねて配置する（図７参照。）。
【００７５】
続いて前側面残余部３３を、その内側の面が左側面部２の内側の面と重なる様に折り目２４にて折り曲げる。このとき、前側面残余部３３とつながっている蓋側残余部３０の一方の内側の面が、外側蓋フラップ２１の内側の面と重なる様にする。続いて左側面部２を、その内側の面が、後側面部５の内側の面と重なる様に折り目２３で折り曲げる。即ち開封時に分離させた内側底フラップ３２と開封部３７を、後側面部５の内側の面と左側面部２の内側の面で挟む様に、左側面部２を折り目２３にて折り曲げる。この際、外側蓋フラップ２１の内側の面と、内側蓋フラップ５１の面で、開封部３７の開封開始側の部分を挟む様にする。また、外側底フラップ２２の内側の面と内側底フラップ５２の内側の面で、内側底フラップ３２を挟む様にする（図８参照。）。
【００７６】
続いて右側面部４、外側蓋フラップ４１及び外側底フラップ４２を、折り曲げ線４７，４８にて折り曲げる。具体的には、右側面部４、外側蓋フラップ４１及び外側底フラップ４２の、折り曲げ線４７，４８よりも折り目４３側にある部分の内側の面が、それぞれ左側面部２、外側蓋フラップ２１及び外側底フラップ２２の外側の面と重なる様に、右側面部４、外側蓋フラップ４１及び外側底フラップ４２を折り曲げる（図９参照。）。この様にして右側面部４、外側蓋フラップ４１及び外側底フラップ４２が折り曲げられると、包装箱１０をその表面積が小さくなる様に折り畳むことができる（図１０参照。）。
【００７７】
上記の構成からなる包装箱によれば、開封部３７の開封開始側の部分が、内側蓋フラップ３１の易開封線７２Ｒ，７２Ｌ及び易開封線７３からなる略Ｕ字状の易開封線によって区画されて設けられている。即ち、内側蓋フラップ３１の易開封線７２Ｒ，７２Ｌ及び易開封線７３で区画された開封部３７とは反対側に、蓋側残余部３０が設けられている。この蓋側残余部３０は、開封部３７の右側にある右領域３０ａと、開封部３７の左側にある左領域３０ｂとが、開封部３７よりも辺３８側にある端領域３０ｃにてつながった略Ｕ形状をしている。このため、開封時に使用者が、開封部３７の開封開始側の部分を一方の手で保持して前側に引っ張る際に、蓋側残余部３０の左右いずれか一方の側を他方の手で押さえれば、蓋側残余部３０の手で保持された一方の側の他、端領域３０ｃ及び手にて保持された側とは反対側の蓋側残余部３０の部分も、開封部３７につられて前側に動くことが防がれる。このため、易開封線７２Ｒ，７２Ｌ及び易開封線７３に、シート材１を引き裂くのに必要な所定の力をそれぞれ伝えることができ、易開封線７２Ｒ，７２Ｌ及び易開封線７３を容易に切り裂くことができる。このため包装箱１０の開封作業を容易に行うことができる。
【００７８】
また、開封部３７の開封開始側の部分が、内側蓋フラップ３１に設けられているため、包装箱１０の上側の開口部を閉じた状態では、開封部３７の開封開始側が、外側蓋フラップ２１及び外側蓋フラップ４１で覆われた状態となっている。このため、包装箱１０の蓋部が閉じた状態で、開封部３７が誤って開封されてしまうことが防がれる。また、取出開口部３９が包装箱１０の前側の側面に形成されており、包装箱１０の前側の側面を完全に開いた状態にすることができる。このため、例えば飲料物など重量のある内容物を上側に持ち上げることなく包装箱１０から容易に取り出すことができる包装箱１０を提供することができる。
【００７９】
更に内側蓋フラップ３１には、蓋側残余部３０を左右の二つの部分に分割するための易開封線７４が設けられている。内容物を包装箱１０の前側の側面からより取り出すためには、開封部３７を引き裂いた後に包装箱１０の前側の側面に残る前側面部３の前側面残余部３３及び前側面残余部３４を開き、前側の側面を完全に開いた状態とする必要がある。一方、前側面残余部３３と前側面残余部３４は、蓋側残余部３０を介してつながっているため、そのままではそれぞれを広げることができない。しかしながら、易開封線７４によって蓋側残余部３０を左右二つの部分に分離することで、前側面残余部３３及び前側面残余部３４が切り離されて、前側面残余部３３と前側面残余部３４を開いた状態にすることができる。
【００８０】
更にこの易開封線７４は、易開封線７２Ｒと易開封線７３が交わる箇所の近傍にある分離開始部７４ａから辺３８に向かって延びている。例えば分離開始部７４ａを易開封線７３と辺３８の間の部分に設けた場合には、分離開始部７４ａと辺３８の距離が短くなり、更に易開封線７４が裂ける向きが、開封部３７が開封される向きと同じ方向となってしまう。このため、例えば開封部３７を開封している際に、易開封線７４が自然に裂けてしまい、蓋側残余部３０が二つの部分に分離してしまう畏れがある。また、分離開始部７４ａを、右領域３０ａや左領域３０ｂの折り目３５側の部分に設けた場合には、易開封線７４の長さが長くなってしまう。この場合に使用者は、蓋側残余部３０を二つに分割するために、長い距離の易開封線７４を切り裂かなければならなくなってしまう。また、そのように長い易開封線７４を設けることで内側蓋フラップ３１の強度が低下する可能性もある。一方、易開封線７４を、易開封線７２Ｒと易開封線７３が交わる箇所の近傍に設ければ、蓋側残余部３０を二つに分離する作業を行い易くすることができると共に、内側蓋フラップ３１の強度を低下させてしまう様な畏れもない。
【００８１】
更にこの易開封線７４は、略Ｌ字形状をしている。即ち易開封線７４は、分離開始部７４ａから、開封部３７から離れる一方の側に延びて、更に辺３８に向かって延びている。開封の際には、分離開始部７４ａに、開封部３７が裂かれる方向（上下方向）の力が加わることになる。このため易開封線７４の分離開始部７４ａ側の部分を上下に延びる方向で設けた場合には、開封作業の途中で自然と易開封線７４が引き裂かれ、蓋側残余部３０が二つに分割されてしまう畏れがある。しかしながら易開封線７４の形状を、その分離開始部７４ａ側（開封部３７側）の部分が、開封部３７が切り裂かれる方向（上下方向）と交わる方向に延びる様にされた略Ｌ字形状とすれば、開封時に意図せずに易開封線７４が引き裂かれてしまうことを防ぐことができるようになる。
【００８２】
更に内側蓋フラップ３１における開封部３７の開封開始側の部分に、貫通孔７６、貫通孔７７が設けられている。このような貫通孔を設けることで、使用者はその指を挿入して開封部３７の端部を容易に掴むことができるため、開封作業を行いやすくなる。また。貫通孔７６と貫通孔７７の間に保持部７８を設けているため、使用者は開封部３７を保持しやすく、更に開封作業が行い易くなる。
【００８３】
更に、前側面部３の下側の辺の部分、即ち折り目３６上に易開封線７５Ｒ，７５Ｌが設けられている。内容物を包装箱１０の前側の側面から取り出す場合には、開封部３７を切り裂いた後に包装箱１０の前側の側面に残る、前側面残余部３３及び前側面残余部３４も開いた状態とする必要がある。この様に易開封線７５Ｒ，７５Ｌを設ければ、内容物を取り出す際の妨げになるような前側面部３を残すことなく、包装箱１０の前側の側面を開いた状態にすることができ。
【００８４】
更に、外側蓋フラップ４１及び外側底フラップ４２の所定の箇所に、折り曲げ線４７，４８が設けられている。このような折り曲げ線を設けることで、内容物を取り出してつぶした後に、包装箱１０をよりコンパクトな大きさに、容易に折り畳むことができる様になる。
【００８５】
なお、本発明の技術範囲は上記実施形態に限定されるものではなく、本発明の趣旨を逸脱しない範囲において種々の変更を加えることが可能である。例えば上記実施形態では、易開封線７５Ｒ，７５Ｌが、折り目３６上に設けられている例に適用して説明を行った。一方、易開封線７５Ｒ，７５Ｌを内側底フラップ３２の折り目３６側に設けた構成としてもよい。例えば易開封線７１Ｒ，７１Ｌを、折り目３６と交差して内側底フラップ３２の側にまで延ばして設け、易開封線７５Ｒ，７５Ｌを、内側底フラップ３２における易開封線７１Ｒ，７１Ｌの端部から、内側底フラップ３２の左右の辺に向かって延びる様に設けてもよい。例えば易開封線７５Ｒ，７５Ｌを、内側底フラップ３２の外側の面に設けられた予備罫線の部分に設けたり、その他の内側底フラップ３２の折り目３６と近接する部分に設けたりしてもよい。この様な構成とすれば、易開封線７５Ｒ，７５Ｌを切り裂いて、前側面残余部３３及び前側面残余部３４を開き、開封部３７と内側底フラップ３２を引き離すと、包装箱１０の前側の側面に内容物の取り出しの妨げとなる前側面部３の下側の部分が残る畏れのない包装箱１０とすることが可能となる。
【００８６】
あるいは易開封線７５Ｒ，７５Ｌを、折り目３６よりも上側の前側面部３の部分に設けた構成としてもよい。例えば易開封線７５Ｒ，７５Ｌを、前側面部３の外側の面に設けられた予備罫線の部分に設けたり、その他の前側面部３の折り目３６と近接する部分に設けたりしてもよい。その様な箇所に易開封線７５Ｒ，７５Ｌを設けることで、上下方向の力が集中してしまうなどの理由によって易開封線７５Ｒ，７５Ｌが自然に裂けてしまったり、あるいは包装箱１０の強度が低下してしまったりすることを防ぐことも期待できる。
【００８７】
また本実施形態では、四角筒状の本体部１１の下側の開口部を、内側底フラップ３２，５２及び外側底フラップ２２，４２にて塞ぐ、Ａ式の包装箱を例に適用して説明を行ったが、これに限定される訳ではない。例えば包装箱１０が、本体部１１が四角筒状に形成されるにともなって、底側のフラップが広げられて底面部が形成されるワンタッチ式の包装箱であってもよい。具体的には、例えば接着などの方法によって一体に形成された内側底フラップ３２及び外側底フラップ２２と、接着などの方法によって一体に形成された内側底フラップ５２及び外側底フラップ４２から底面部が構成される包装箱であってもよい。この様なワンタッチ式の包装箱では、内側底フラップ３２，５２及び外側底フラップ２２，４２のいずれかの所定箇所に折り畳みのための折り目が設けられており、包装箱１０を組み立てるために本体部１０を四角筒状に形成すると、当該折り目にて折り畳まれていた内側底フラップ３２，５２及び外側底フラップ２２，４２が広がって底面部が形成される。この内側底フラップ３２，５２及び外側底フラップ２２，４２にはそれぞれ所定の形状に形成されて係止部が設けられており、底面部が形成された状態で係止部が互いに係止され、底面部が固定されるようになっている。
【００８８】
また本実施形態では、包装箱１０の本体部１１が、両方が開口した四角筒状の形状をしている例に適用して説明を行ったが、本体部１１が、一方が塞がれた四角筒状の形状をしていてもよい。具体的には包装箱１０が、底面をなす底面部から延出した各側面部が底面との境目にて折り曲げられて包装箱の側面が形成される「たとう型」の包装箱であってもよい。あるいは包装箱１０は、上側の開口部の少なくとも一部を塞ぐ蓋フラップが、側面部の上端から延出している包装箱であれば、その他の公知の形状の包装箱であってもよい。また、包装箱１０は、六角の筒状の本体部や、側面や八角の本体部から構成されるものであってもよく、あるは本体部の断面（上下方向と交わる方向の断面）がその他の多角形の筒状の側面をなすものであってもよい。
【００８９】
また本実施形態では、開封部３７の辺３８側に、貫通孔７６，７７を設けた例に適用して説明を行ったが、貫通孔７６，７７に代えて、略コの字状の切り込みと、当該略コの字状の切り込みの端部をつなぐ折り目からなる押し込み片を設けた構成としてもよい。この様な構成とすれば、使用者が当該押し込み片を包装箱１０の内側の方向に押し込むことで、使用者の指を挿入する事ができ、開封部３７の端部を保持して開封することができる様になる。また、貫通孔７６，７７よりも簡易な構成とすることができる。
【符号の説明】
【００９０】
１・・・シート材    ２・・・左側面部    ３・・・前側面部
４・・・右側面部    ５・・・後側面部    ６・・・接着部    １０・・・包装箱
１１・・・本体部    ２１・・・外側蓋フラップ    ２２・・・外側底フラップ
２１・・・外側蓋フラップ    ２２・・・外側底フラップ
２３〜２６・・・折り目    ３０・・・蓋側残余部    ３０ａ・・・右領域
３０ｂ・・・左領域    ３０ｃ・・・端領域    ３１・・・内側蓋フラップ
３２・・・内側底フラップ    ３３，３４・・・前側面残余部
３５，３６・・・折り目    ３７・・・開封部    ３８・・・辺
３９・・・取出開口部    ４１・・・外側蓋フラップ
４２・・・外側底フラップ    ４３〜４６・・・折り目
４７、４８・・・折り曲げ線    ４９・・・仮想線    ５１・・・内側蓋フラップ
５２・・・内側底フラップ    ５５，５６・・・折り目
７１Ｒ〜７２Ｒ，７１Ｌ〜７２Ｌ，７３，７４，７５Ｒ，７５Ｌ・・・易開封線
７６，７７・・・貫通孔    ７８・・・保持部    ８１Ｒ，８１Ｌ・・・易開封線
【図１】
2020100425.tif 000003
【図２】
2020100425.tif 000004
【図３】
2020100425.tif 000005
【図４】
2020100425.tif 000006
【図５】
2020100425.tif 000007
【図６】
2020100425.tif 000008
【図７】
2020100425.tif 000009
【図８】
2020100425.tif 000010
【図９】
2020100425.tif 000011
【図１０】
2020100425.tif 000012
【図１１】
2020100425.tif 000013
【図１２】
2020100425.tif 000014
【図１３】
2020100425.tif 000015